(57)【特許請求の範囲】
【請求項１】
キャリアテープに形成された多数の収容凹部に電子部品が収容されるテープ化部品を送り出すことで供給位置において電子部品を供給するテープフィーダと、
前記テープフィーダを着脱可能に保持するテープフィーダ保持台と、
そのテープフィーダ保持台によって保持された前記テープフィーダを、前記テープフィーダ保持台から離脱する方向である離脱方向に移動させるテープフィーダ移動機構と
を備えた電子部品供給装置であって、
当該電子部品供給装置が、
複数の前記テープフィーダと、前記テープフィーダ移動機構の作動を制御する制御装置とを有し、
前記制御装置が、
前記複数のテープフィーダのうちの前記テープフィーダ保持台から取り外すべきものを複数決定するテープフィーダ決定部を有し、
当該電子部品供給装置が、
前記テープフィーダ決定部によって決定された複数の前記テープフィーダのうちの前記テープフィーダ保持台から実際に取り外すものを１つ選択するための選択ボタンを有し、
前記制御装置が、
前記選択ボタンによって選択されることを条件として、前記テープフィーダを前記離脱方向に移動させるように、前記テープフィーダ移動機構の作動を制御する電子部品供給装置。
【請求項２】
前記テープフィーダ保持台が、
(a)前記テープフィーダの下縁部をスライド可能に保持するスライド部と、(b)前記テープフィーダの前記テープ化部品の送り出し方向の側の側壁面が取り付けられる側壁面取付部とを有し、前記側壁面が前記側壁面取付部に取り付けられることで、前記テープフィーダを保持し、
前記テープフィーダ移動機構が、
前記側壁面が前記側壁面取付部に取り付けられた状態の前記テープフィーダを、前記側壁面取付部から離れる方向にスライドさせることで、前記テープフィーダを前記離脱方向に移動させる請求項１に記載の電子部品供給装置。
【請求項３】
前記テープフィーダが、
(a)前記テープ化部品を巻回した状態で保持する保持具と、(b)その保持具から引き出された前記テープ化部品が上端面に延在させられ、前記保持具の側とは反対側の端部に位置する前記供給位置において電子部品を供給する本体部とを有し、
前記スライド部が、前記本体部の下端部をスライド可能に保持する請求項２に記載の電子部品供給装置。
【請求項４】
前記テープフィーダ決定部によって決定された１以上の前記テープフィーダが、表示装置に表示される請求項１ないし請求項３のいずれか１つに記載の電子部品供給装置。
【発明の詳細な説明】
【技術分野】
【０００１】
本発明は、電子部品供給装置、特に、テープフィーダによって電子回路部品を供給する電子部品供給装置に関するものである。
【背景技術】
【０００２】
テープフィーダは、キャリアテープに形成された多数の収容凹部に電子回路部品（以下、「電子部品」と略す場合がある）が収容されるテープ化部品を送り出すことにより所定の位置で電子部品を供給する構造とされている。テープフィーダの多くは、テープ化部品を巻回した状態で保持する保持具と、その保持具からテープ化部品が上端面に引き出され、その上端面において電子部品を供給する本体部とによって構成されており、本体部が、ベース上に設けられたテープフィーダ保持台に着脱可能とされている。
【０００３】
上記構造のテープフィーダを備えた電子部品供給装置（以下、「供給装置」と略す場合がある）では、テープフィーダ保持台は、通常、複数台のテープフィーダを隣接した状態で保持することが可能とされており、複数種類の電子部品を供給することが可能とされている。ただし、複数台のテープフィーダが隣接してテープフィーダ保持台に保持された状態では、隣り合う２台のテープフィーダの隙間は殆ど無いことが多く、隣接するテープフィーダの電子部品の交換作業は非常に困難となっている。このことに鑑みて、下記特許文献に記載の供給装置では、テープ化部品を保持する保持具が本体部に対して移動可能とされており、保持具を本体部に対して移動させることで、容易に電子部品を交換することが可能とされている。
【０００４】
【特許文献１】特開２００７−２９９９０３号公報
【発明の開示】
【発明が解決しようとする課題】
【０００５】
上記特許文献に記載の供給装置によれば、保持具の本体部に対する移動によって、容易に電子部品を交換することが可能となっている。しかしながら、同種の電子部品を補充する際等であれば、保持具のみの移動で対応することは可能であるが、サイズの異なる電子部品に交換する際等には、テープフィーダ自体を交換することもある。また、テープフィーダのメンテナンス時等には、テープフィーダをテープフィーダ保持台から取り外す必要がある。さらに言えば、保持具の本体部に対する移動では、保持具の移動量は比較的小さいため、電子部品の交換作業は、依然として困難である場合が多い。本発明は、そのような実情に鑑みてなされたものであり、テープフィーダを容易にテープフィーダ保持台から取り外すことが可能な供給装置を提供することを課題とする。
【課題を解決するための手段】
【０００６】
上記課題を解決するために、本願の請求項１に記載の電子部品供給装置は、キャリアテープに形成された多数の収容凹部に電子部品が収容されるテープ化部品を送り出すことで供給位置において電子部品を供給するテープフィーダと、前記テープフィーダを着脱可能に保持するテープフィーダ保持台と、そのテープフィーダ保持台によって保持された前記テープフィーダを、前記テープフィーダ保持台から離脱する方向である離脱方向に移動させるテープフィーダ移動機構とを備える電子部品供給装置であって、当該電子部品供給装置が、複数の前記テープフィーダと、前記テープフィーダ移動機構の作動を制御する制御装置とを有し、前記制御装置が、前記複数のテープフィーダのうちの前記テープフィーダ保持台から取り外すべきものを複数決定するテープフィーダ決定部を有し、当該電子部品供給装置が、前記テープフィーダ決定部によって決定された複数の前記テープフィーダのうちの前記テープフィーダ保持台から実際に取り外すものを１つ選択するための選択ボタンを有し、前記制御装置が、前記選択ボタンによって選択されることを条件として、前記テープフィーダを前記離脱方向に移動させるように、前記テープフィーダ移動機構の作動を制御することを特徴とする。
【０００７】
また、請求項２に記載の電子部品供給装置は、請求項１に記載の電子部品供給装置において、前記テープフィーダ保持台が、(a)前記テープフィーダの下縁部をスライド可能に保持するスライド部と、(b)前記テープフィーダの前記テープ化部品の送り出し方向の側の側壁面が取り付けられる側壁面取付部とを有し、前記側壁面が前記側壁面取付部に取り付けられることで、前記テープフィーダを保持し、前記テープフィーダ移動機構が、前記側壁面が前記側壁面取付部に取り付けられた状態の前記テープフィーダを、前記側壁面取付部から離れる方向にスライドさせることで、前記テープフィーダを前記離脱方向に移動させることを特徴とする。
【０００８】
また、請求項３に記載の電子部品供給装置は、請求項２に記載の電子部品供給装置において、前記テープフィーダが、(a)前記テープ化部品を巻回した状態で保持する保持具と、(b)その保持具から引き出された前記テープ化部品が上端面に延在させられ、前記保持具の側とは反対側の端部に位置する前記供給位置において電子部品を供給する本体部とを有し、前記スライド部が、前記本体部の下端部をスライド可能に保持することを特徴とする。
【０００９】
【００１０】
また、請求項４に記載の電子部品供給装置は、請求項１ないし請求項３のいずれか１つに記載の電子部品供給装置において、前記テープフィーダ決定部によって決定された１以上の前記テープフィーダが、表示装置に表示されることを特徴とする。
【００１１】
【発明の効果】
【００１２】
請求項１に記載の供給装置は、テープフィーダ保持台に保持された状態のテープフィーダを、離脱方向に移動させるためのテープフィーダ移動機構を備えている。これにより、テープフィーダ全体を離脱方向、つまり、オペレータに接近する方向に移動させることが可能となり、テープフィーダを容易にテープフィーダ保持台から取り外すことが可能となる。また、複数のテープフィーダのうちのテープフィーダ保持台から取り外すべきものが複数決定され、決定された複数のテープフィーダの中からオペレータによって１つのテープフィーダが選択される。そして、その選択された１つのテープフィーダが、テープフィーダ移動機構によって離脱方向に移動させられる。これにより、実際に取り外す１つのテープフィーダを、オペレータの意思に従って決定することが可能となり、供給装置の実用性を向上させることが可能となる。具体的には、例えば、テープフィーダ決定部において隣接する２台のテープフィーダが決定された場合に、その隣接する２台のテープフィーダが離脱方向に移動させられると、移動させられた２台のテープフィーダは、移動後の位置において隣接する虞があり、移動させられた２台のテープフィーダであってもテープフィーダ保持台から取り外し難いことがある。このような場合に、請求項１に記載の供給装置であれば、まず、隣接する２台のテープフィーダのうちの一方を選択し、その一方を取り外した後に、他方を選択するといった手法を採用することが可能となる。これにより、供給装置の実用性が向上する。
【００１３】
また、請求項２に記載の供給装置では、テープフィーダ保持台の構造が具体的に限定されており、テープフィーダをスライドさせることで、テープフィーダが離脱方向に移動させられる。これにより、テープフィーダを容易に移動させることが可能となる。
【００１４】
また、請求項３に記載の供給装置では、テープフィーダの構造が具体的に限定されており、テープフィーダ移動機構によって保持具と本体部とが一体的に移動させられることが、明確化されている。
【００１５】
【００１６】
また、請求項４に記載の供給装置では、テープフィーダ決定部において決定されたテープフィーダが制御装置に表示される。これにより、取り外すことが望ましいテープフィーダを、オペレータは確認することが可能となり、便利である。
【００１７】
【図面の簡単な説明】
【００１８】
【図１】本発明の実施例である電子部品供給装置が取り付けられた電子部品装着装置を示す斜視図である。
【図２】図１に示す電子部品供給装置のテープフィーダの一部および、そのテープフィーダによって送り出されるテープ化部品を示す平面図である。
【図３】図１に示す電子部品供給装置を示す斜視図である。
【図４】図３に示す電子部品供給装置を示す断面図である。
【図５】図４に示す電子部品供給装置のテープフィーダがテープフィーダ移動機構によって取外し位置に移動された状態を示す断面図である。
【図６】複数のテープフィーダのうちの１台のテープフィーダが取外し位置に移動された状態を示す斜視図である。
【図７】図１に示す電子部品装着装置の備える制御装置を示すブロック図である。
【図８】変形例１の電子部品供給装置を示す断面図である。
【図９】変形例２の電子部品供給装置を示す断面図である。
【図１０】変形例３の電子部品供給装置を示す断面図である。
【発明を実施するための最良の形態】
【００１９】
以下、本発明を実施するための形態として、本発明の実施例および変形例を、図を参照しつつ詳しく説明する。
【００２０】
＜電子部品装着装置の構成＞
図１に、電子部品装着装置（以下、「装着装置」と略す場合がある）１０を示す。その図は、装着装置１０の外装部品の一部を取り除いた斜視図である。装着装置１０は、１つのシステムベース１２と、そのシステムベース１２の上に互いに隣接されて並んで配列された２つの電子部品装着機（以下、「装着機」と略す場合がある）１６とを含んで構成されており、回路基板に電子部品を装着する作業を行うものとされている。なお、以下の説明において、装着機１６の並ぶ方向をＸ軸方向とし、その方向に直角な水平の方向をＹ軸方向と称する。
【００２１】
装着装置１０の備える装着機１６の各々は、主に、フレーム部２０とそのフレーム部２０に上架されたビーム部２２とを含んで構成された装着機本体２４と、回路基板をＸ軸方向に搬送するとともに設定された位置に固定する搬送装置２６と、その搬送装置２６によって固定された回路基板に電子部品を装着する装着ヘッド２８と、ビーム部２２に配設されて装着ヘッド２８をＸ軸方向およびＹ軸方向に移動させる移動装置３０と、フレーム部２０の前方に配設され装着ヘッド２８に電子部品を供給する電子部品供給装置（以下、「供給装置」と略す場合がある）３２とを備えている。
【００２２】
搬送装置２６は、２つのコンベア装置４０，４２を備えており、それら２つのコンベア装置４０，４２は、互いに平行、かつ、Ｘ軸方向に延びるようにフレーム部２０のＹ軸方向での中央部に配設されている。２つのコンベア装置４０，４２の各々は、電磁モータ（図７参照）４４によって各コンベア装置４０，４２に支持される回路基板をＸ軸方向に搬送する構造とされている。さらに、コンベア装置４０，４２の各々は、基板保持装置（図７参照）４６を有しており、所定の位置において回路基板を固定的に保持する構造とされている。
【００２３】
また、装着ヘッド２８は、搬送装置２６によって保持された回路基板に対して電子部品を装着するものであり、下面に電子部品を吸着する吸着ノズル５０を有している。吸着ノズル５０は、負圧エア，正圧エア通路を介して正負圧供給装置（図７参照）５２に通じており、負圧にて電子部品を吸着保持し、僅かな正圧が供給されることで保持した電子部品を離脱する構造とされている。さらに、装着ヘッド２８は、吸着ノズル５０を昇降させるノズル昇降装置（図７参照）５４および吸着ノズル５０をそれの軸心回りに自転させるノズル自転装置（図７参照）５６を有しており、保持する電子部品の上下方向の位置および電子部品の保持姿勢を変更することが可能とされている。なお、吸着ノズル５０は、装着ヘッド２８に着脱可能とされており、電子部品のサイズ，形状等に応じて変更することが可能とされている。
【００２４】
移動装置３０は、その装着ヘッド２８をフレーム部２０上の任意の位置に移動させるものであり、装着ヘッド２８をＸ軸方向に移動させるためのＸ軸方向スライド機構（図示省略）と、装着ヘッド２８をＹ軸方向に移動させるためのＹ軸方向スライド機構（図示省略）とを備えている。Ｙ軸方向スライド機構は、Ｙ軸方向に移動可能にビーム部２２に設けられたＹ軸スライダ（図示省略）と、駆動源としての電磁モータ（図７参照）６４とを有しており、その電磁モータ６４によって、Ｙ軸スライダがＹ軸方向の任意の位置に移動可能とされている。また、Ｘ軸方向スライド機構は、Ｘ軸方向に移動可能にＹ軸スライダに設けられたＸ軸スライダ６６と、駆動源としての電磁モータ（図７参照）６８とを有しており、その電磁モータ６８によって、Ｘ軸スライダ６６がＸ軸方向の任意の位置に移動可能とされている。そして、そのＸ軸スライダ６６に装着ヘッド２８が取り付けられることで、装着ヘッド２８は、移動装置３０によって、フレーム部２０上の任意の位置に移動可能とされている。なお、装着ヘッド２８は、Ｘ軸スライダ６６にワンタッチで着脱可能とされており、種類の異なる作業ヘッド、例えば、ディスペンサヘッド等に変更することが可能とされている。
【００２５】
また、供給装置３２は、ベースとしてのフレーム部２０の前方側の端部に配設されており、フィーダ型の供給装置とされている。供給装置３２は、電子部品がテーピング化されたテープ化部品（図２参照）７０をリール７２に巻回させた状態で収容する複数のテープフィーダ７４と、それら複数のテープフィーダ７４の各々に収容されているテープ化部品７０を送り出す複数の送出装置（図７参照）７６とを有しており、テープ化部品７０から電子部品を装着ヘッド２８への供給位置に順次供給する構造とされている。
【００２６】
テープ化部品７０は、図２に示すように、多数の収容凹部７８および送り穴８０が等ピッチで形成されたキャリアテープ８２と、収容凹部７８に収容される電子部品８４と、キャリアテープ８２の電子部品８４が収容された収容凹部７８を覆うトップカバーテープ８６とから構成されている。一方、テープフィーダ７４は、図３および図４に示すように、そのテープ化部品７０が巻回されるリール７２を保持するリール保持部８８と、そのリール７２から引き出されたテープ化部品７０が上端面に延在させられるフィーダ本体９０とから構成されている。
【００２７】
フィーダ本体９０内部には、図４に示すように、テープ化部品７０のキャリアテープ８２に形成された送り穴８０に係合するスプロケット９２が内蔵されており、そのスプロケット９２が送出装置７６によって回転させられることで、キャリアテープ８２にトップカバーテープ８６が貼着された状態のテープ化部品７０が、フィーダ本体９０の上端面において、リール７２から離間する方向に送り出される。そして、剥離装置（図示省略）によって、キャリアテープ８２からトップカバーテープ８６が剥ぎ取られることで、フィーダ本体９０の上端面の先端部に位置する供給位置において、電子部品８４が収容された収容凹部７８が順次解放され、その解放された収容凹部７８から電子部品８４が吸着ノズル５０によって取り出される。
【００２８】
また、テープフィーダ７４は、フレーム部２０の前方側の端部に固定的に設けられたテープフィーダ保持台１００に着脱可能とされている。テープフィーダ保持台１００は、フレーム部２０の上面に設けられたスライド部１０２と、そのスライド部１０２の搬送装置２６に近い側の端部に立設された立設面部１０６とから構成されている。スライド部１０２には、Ｙ軸方向に延びるように複数のスライド溝１０８が形成されており、それら複数のスライド溝１０８の各々に、テープフィーダ７４のフィーダ本体９０の下縁部に取り付けられたレール１０９を嵌合させた状態でスライドさせることが可能とされている。そして、フィーダ本体９０の下縁部を嵌合させた状態で立設面部１０６に接近させる方向にスライドさせることで、フィーダ本体９０のテープ化部品７０の送り出し方向の側の側壁面１１０が立設面部１０６に取り付けられる。
【００２９】
その立設面部１０６には、コネクタ接続部１１２が設けられている。一方、立設面部１０６に取り付けられるテープフィーダ７４の側壁面１１０には、コネクタ１１４が設けられたおり、テープフィーダ７４の側壁面１１０が立設面部１０６に取り付けられた際に、コネクタ１１４がコネクタ接続部１１２に接続されるようになっている。また、テープフィーダ７４の側壁面１１０には、コネクタ１１４を上下方向に挟むように１対の立設ピン１１６が設けられており、テープフィーダ保持台１００の立設面部１０６のコネクタ接続部１１２を上下方向に挟むように形成された１対の嵌合穴１１８に嵌合されるようになっている。これにより、テープフィーダ７４は、供給位置において電子部品を供給可能な状態でテープフィーダ保持台１００によって保持される。なお、スライド部１０２に形成された複数のスライド溝１０８の各々には、テープフィーダ７４を嵌合させることが可能となっており、テープフィーダ保持台１００には、図１に示すように、複数のテープフィーダ７４がＹ軸方向に並んだ状態で保持されるようになっている。
【００３０】
また、テープフィーダ７４のフィーダ本体９０には、図４に示すように、フィーダ本体９０の側壁面１１０が立設面部１０６に取り付けられた状態で、テープフィーダ７４をテープフィーダ保持台１００にロックするためのロック機構１２０が設けられている。ロック機構１２０は、励磁状態においてソレノイドピン１２２が突出するソレノイド１２４を備えており、ソレノイド１２４は、ソレノイドピン１２２が下方に向かって突出するようにフィーダ本体９０の内部に配設されている。ソレノイドピン１２２は、励磁状態において、レール１０９に形成された貫通穴１２６を挿通して、フィーダ本体９０の下方に突出する。テープフィーダ保持台１００のスライド部１０２には、側壁面１１０が立設面部１０６に取り付けられた状態で貫通穴１２６と同軸となるように、挿入穴１２８が形成されており、その挿入穴１２８に、貫通穴１２６を挿通したソレノイドピン１２２が挿入される。これにより、ロック機構１２０は、ソレノイド１２４が励磁状態とされ、ソレノイドピン１２２が挿入穴１２８に挿入されることで、テープフィーダ７４をテープフィーダ保持台１００にロックすることが可能となっている。なお、ソレノイド１２４が消磁状態とされている場合には、ソレノイドピン１２２は、挿入穴１２８から抜け出し、貫通穴１２６内部に収容されるようになっている。
【００３１】
テープフィーダ７４のフィーダ本体９０には、さらに、テープフィーダ７４をテープフィーダ保持台１００から離脱させる方向である離脱方向、具体的にいえば、フィーダ本体９０の側壁面１１０がテープフィーダ保持台１００の立設面部１０６から離れる方向にスライドさせるためのスライド機構１３０が設けられている。スライド機構１３０は、励磁状態においてソレノイドピン１３２が突出するソレノイド１３４を備えており、ソレノイド１３４は、励磁状態においてソレノイドピン１３２が側壁面１１０から外部に向かって突出するようにフィーダ本体９０の内部に配設されている。
【００３２】
このような構造により、ロック機構１２０のソレノイド１２４が消磁状態とされるとともに、スライド機構１３０のソレノイド１３４が励磁状態とされることで、図５に示すように、テープフィーダ７４のテープフィーダ保持台１００へのロックが解除され、側壁面１１０の外部に向かって突出したソレノイドピン１３２の先端が立設面部１０６に当接する。これにより、テープフィーダ７４を離脱方向にスライドさせ、オペレータに近い位置に移動させることが可能となり、オペレータがテープフィーダ７４を容易にテープフィーダ保持台１００から取り外すことが可能となる。特に、複数のテープフィーダ７４が隣接した状態でテープフィーダ保持台１００に保持されている際には、テープフィーダ７４のテープフィーダ保持台１００からの取り外しが容易となる。
【００３３】
詳しく言えば、テープフィーダ保持台１００には、上述したように、複数のテープフィーダ７４がＸ軸方向に並んだ状態で保持されるようになっている。複数のテープフィーダ７４が隣接してテープフィーダ保持台１００に保持された状態において、隣り合う２台のテープフィーダ７４の隙間は殆どなく、その隙間は、指さえも挿入し難いほど狭い。このため、複数のテープフィーダ７４を隣接した状態で保持するテープフィーダ保持台１００からテープフィーダ７４を取り外すことは困難となっている。さらに言えば、複数のテープフィーダ７４を隣接した状態で保持するテープフィーダ保持台１００からテープフィーダ７４を取り外そうとすると、そのテープフィーダ７４の隣のテープフィーダ７４にオペレータの指が触れてしまう。このため、例えば、装着作業中にテープフィーダ７４の交換等を行う際に、交換等の予定されていないテープフィーダ７４にオペレータの指が触れることで、装着作業が妨げられる場合がある。
【００３４】
このようなことに鑑みて、本装着機１６で採用されている供給装置３２では、スライド機構１３０の作動により、側壁面１１０が立設面部１０６に取り付けられた状態のテープフィーダ７４を離脱方向にスライドさせることが可能となっている。このため、複数のテープフィーダ７４が隣接してテープフィーダ保持台１００に保持されている場合であっても、図６に示すように、複数のテープフィーダ７４のうちの交換等の対象となるテープフィーダ７４を、オペレータに近い位置に移動させることが可能となる。つまり、交換等の対象となるテープフィーダ７４を、電子部品を供給可能な通常位置から、取り外しが容易な取外し位置に移動させることが可能となる。これにより、交換等の対象となっていないテープフィーダ７４にオペレータの指が触れることなく、交換等の対象となっているテープフィーダ７４を容易にテープフィーダ保持台１００から取り外すことが可能となっている。
【００３５】
また、装着機１６は、マークカメラ（図７参照）１４０およびパーツカメラ（図１，７参照）１４２を備えている。マークカメラ１４０は、下方を向いた状態でＸ軸スライダ６６の下面に固定されており、移動装置３０によって移動させられることで、回路基板の表面を任意の位置において撮像することが可能となっている。一方、パーツカメラ１４２は、上を向いた状態でフレーム部２０の搬送装置２６と供給装置３２との間に設けられており、装着ヘッド２８の吸着ノズル５０によって吸着保持された電子部品を撮像することが可能となっている。マークカメラ１４０によって得られた画像データおよび、パーツカメラ１４２によって得られた画像データは、画像処理装置１４４（図７参照）において処理され、回路基板に関する情報，基板保持装置４６による回路基板の保持位置誤差，吸着ノズル５０による電子部品の保持位置誤差等が取得される。
【００３６】
さらに、装着機１６は、図７に示すように、制御装置１５０を備えている。制御装置１５０は、ＣＰＵ，ＲＯＭ，ＲＡＭ等を備えたコンピュータを主体とするコントローラ１５２と、上記電磁モータ４４，６４，６８，基板保持装置４６，正負圧供給装置５２，ノズル昇降装置５４，ノズル自転装置５６，送出装置７６，ソレノイド１２４，１３４の各々に対応する複数の駆動回路１５４とを備えている。コントローラ１５２には、各駆動回路１５４を介して搬送装置，移動装置等の駆動源が接続されており、搬送装置，移動装置等の作動を制御することが可能とされている。また、コントローラ１５２には、マークカメラ１４０およびパーツカメラ１４２によって得られた画像データを処理する画像処理装置１４４が接続されている。
【００３７】
さらに、コントローラ１５２には、制御回路１５６を介して、表示装置１６０が接続されている。表示装置１６０は、装着機１６による作業に関する情報、具体的には、後に詳しく説明するテープフィーダ７４の交換作業に関する情報等を表示するものであり、タッチパネル式の表示装置とされている。なお、表示装置１６０には、そのテープフィーダ７４の交換作業時に使用される選択ボタン１６２が表示されるようになっており、その選択ボタン１６２の操作結果がコントローラ１５２に入力されるようになっている。
【００３８】
＜電子部品装着装置による対基板作業＞
装着装置１０では、上述した構成によって、コンベア装置４０，４２に保持された回路基板に対して、装着ヘッド２８によって対基板作業としての装着作業を行うことが可能とされている。具体的に説明すれば、まず、コンベア装置４０，４２によって、回路基板を装着作業位置まで搬送するとともに、その位置において回路基板を固定的に保持する。次に、移動装置３０によって、装着ヘッド２８を回路基板上に移動させ、マークカメラ１４０によって、回路基板を撮像する。その撮像により回路基板の種類，コンベア装置４０，４２による回路基板の保持位置誤差が取得される。その取得された回路基板の種類に応じた電子部品を、供給装置３２のテープフィーダ７４によって供給し、その電子部品の供給位置に、装着ヘッド２８を移動装置３０によって移動させる。これにより、装着ヘッド２８の吸着ノズル５０によって電子部品が吸着保持される。続いて、電子部品を保持した状態の装着ヘッド２８を、移動装置３０によってパーツカメラ１４２上に移動させ、パーツカメラ１４２によって、装着ヘッド２８に保持された電子部品を撮像する。その撮像により電子部品の保持位置誤差が取得される。そして、移動装置３０によって、装着ヘッド２８を回路基板上の装着位置に移動させ、装着ヘッド２８によって、回路基板および電子部品の保持位置誤差に基づいて吸着ノズル５０を自転させた後に，電子部品が装着される。
【００３９】
＜回路基板の種類変更に伴うテープフィーダの交換＞
装着装置１０では、上述したようにして回路基板に対して電子部品の装着作業が実行されるが、様々な種類の回路基板に装着作業を実行することが可能となっている。つまり、回路基板の種類を交換して、異なる種類の回路基板に対して装着作業を行うことが可能とされている。具体的には、例えば、第１回路基板に対して第１〜第４電子部品を装着する第１装着作業の実行が終了した後に、第１回路基板とは種類の異なる第２回路基板に対して第４〜第７電子部品を装着する第２装着作業を実行することが可能とされている。そして、第２装着作業の実行が終了した後に、第２回路基板とは種類の異なる第３回路基板に対して第１電子部品および第４〜６電子部品を装着する第３装着作業を実行することが可能とされている。
【００４０】
ちなみに、第１〜第７電子部品が収容された７個のテープ化部品７０は、順に、第１〜第７テープフィーダ７４のリール７２に巻回されており、第１〜第７テープフィーダ７４は、第１装着作業が行われる前に、隣接した状態で番号順に並んで、テープフィーダ保持台１００に装着されている。本装着装置１０では、回路基板の種類を変更する際に、このように装着された第１〜第７テープフィーダ７４の中から変更後に行われる作業に必要無い電子部品を収容するテープフィーダ７４を表示装置１６０に表示し、その表示されたテープフィーダ７４の中から実際にテープフィーダ保持台１００から取り外すテープフィーダ７４を、オペレータが選択可能となっている。
【００４１】
具体的には、例えば、装着作業の対象となる回路基板が第１回路基板から第２回路基板に変更される際には、第２装着作業で必要無い第１〜第３電子部品を収容する第１〜第３テープフィーダ７４が、テープフィーダ保持台１００から取り外すべきテープフィーダ７４として、コントローラ１５２のテープフィーダ決定部（図７参照）１７０において決定される。そして、その決定された第１〜第３テープフィーダ７４が表示装置１６０に表示され、さらに、第１〜第３テープフィーダ７４のうちのいずれか１つを選択するための選択ボタン１６２も表示される。
【００４２】
そして、オペレータが、表示された第１〜第３テープフィーダ７４の選択ボタン１６２によって、実際に取り外すテープフィーダ７４を選択することで、その選択されたテープフィーダ７４に対応するスライド機構１３０の作動が、コントローラ１５２のスライド機構制御部（図７参照）１７２において制御され、その選択されたテープフィーダ７４が、図６に示すように、取外し位置にスライドされる。これにより、取外し位置にスライドされたテープフィーダ７４を容易にテープフィーダ保持台１００から取り外すことが可能となる。
【００４３】
なお、オペレータは、表示された第１〜第３テープフィーダ７４の選択ボタン１６２のうちから何れのものでも選択することが可能であるが、第２装着作業の実行後に実行される第３装着作業において第１電子部品が用いられることから、第１電子部品を収容する第１テープフィーダ７４とは、異なる第２テープフィーダ若しくは，第３テープフィーダの選択ボタン１６２が選択されると考えられる。
【００４４】
また、選択ボタン１６２は、ラジオボタンとされており、複数のボタンのうちの１つのものしか選択できないようになっている。つまり、テープフィーダ７４の取外し位置への移動は、１台毎に行われるようになっており、複数のテープフィーダ７４が、取外し位置で隣接することを防止することが可能となっている。具体的には、上述の例のように、第２テープフィーダ若しくは，第３テープフィーダの選択ボタン１６２が選択されると考えられる場合に、２つのボタンが選択可能であると、第２テープフィーダおよび第３テープフィーダが、取外し位置にスライドされ、取外し位置において隣接することがある。取外し位置で隣接する２台のテープフィーダ７４の隙間は、通常位置で隣接する２台のテープフィーダ７４の隙間と同じであり、非常に狭く、取外し位置にスライドされたテープフィーダ７４であってもテープフィーダ保持台１００から取り外し難い。したがって、選択ボタン１６２がラジオボタンとされることで、取外し位置において複数のテープフィーダ７４が隣接するという事態を回避することが可能となる。
【００４５】
なお、スライド機構１３０によってテープフィーダ７４がスライドされる位置を取外し位置と言っているが、取外し位置にスライドされたテープフィーダ７４は、必ずテープフィーダ保持台１００から取り外される必要はなく、取外し位置のテープフィーダ７４若しくは、取外し位置から離脱方向にスライドされたテープフィーダ７４に、スプライシング作業，リール交換作業等を行うことも可能である。
【００４６】
また、取外し位置にスライドされたテープフィーダ７４に対する作業は、オペレータによる手動の作業だけでなく、リール自動交換装置、フィーダ自動交換装置等のリール７２，テープフィーダ７４等を自動で交換可能な装置によって行うことも可能である。
【００４７】
また、上記説明では、選択ボタン１６２は、ラジオボタンとされており、複数のボタンのうちの１つのものしか選択できないようになっているが、複数のボタンを同時に選択可能なものであってもよい。複数のボタンを同時に選択可能な選択ボタンであれば、複数のテープフィーダを取外し位置にスライドさせることが可能となり、作業性を向上させることが可能となる。また、上記選択ボタン１６２は、表示装置１６０に表示されるようになっているが、テープフィーダ７４の各々に対応して設けられてもよい。
【００４８】
＜変形例＞
上記実施例のスライド機構１３０はテープフィーダ７４に設けられているが、テープフィーダ保持台１００にスライド機構を設けてもよく、テープフィーダ保持台１００にスライド機構が設けられた供給装置を、変形例１の供給装置１８０として、図８に示す。また、ソレノイド１３４以外の機器等を利用したスライド機構を採用することが可能であり、ギヤ機構を利用したスライド機構が設けられた供給装置を、変形例２の供給装置１９０として、図９に示し、弾性体を利用したスライド機構が設けられた供給装置を、変形例３の供給装置２００として、図１０に示す。各変形例の供給装置１８０，１９０，２００は、スライド機構を除いて、上記実施例の供給装置３２と同様の構成であるため、上記供給装置３２と同様の機能の構成要素については、同じ符号を用いて説明を省略あるいは簡略に行うものとする。
【００４９】
変形例１の供給装置１８０のスライド機構１８２は、図８に示すように、上記実施例のスライド機構１３０のソレノイド１３４と同じ構造のソレノイド１８４を有しており、テープフィーダ保持台１００の立設面部１０６内部に設けられている。ソレノイド１８４は、励磁状態においてソレノイドピン１８６が立設面部１０６の内部から離脱方向に向かって突出するようになっており、ソレノイドピン１８６の先端部が、励磁状態においてテープフィーダ７４の側壁面１１０に当接するようになっている。
【００５０】
このような構造により、変形例１の供給装置１８０では、ロック機構１２０のソレノイド１２４が消磁状態とされるとともに、スライド機構１８２のソレノイド１８４が励磁状態とされることで、テープフィーダ７４のテープフィーダ保持台１００へのロックが解除され、立設面部１０６の外部に突出したソレノイドピン１８６によって、テープフィーダ７４を取外し位置にスライドさせることが可能となっている。
【００５１】
また、変形例２の供給装置１９０のスライド機構１９２は、図９に示すように、ラック１９４と、そのラック１９４に噛合するピニオンギヤ１９６と、そのピニオンギヤ１９６を回転させる電磁モータ（図示省略）とを有している。ラック１９４の一端部には、突起部１９８が形成されており、その突起部１９８がスライド溝１０８に嵌合するテープフィーダ７４のレール１０９の端部に引っ掛けられた状態で、ラック１９４はスライド溝１０８の下方に配設されている。ラック１９４は、スライド溝１０８に沿って移動可能とされており、電磁モータの駆動によってピニオンギヤ１９６が回転することで、ラック１９４は離脱方向に移動する。
【００５２】
このような構造により、変形例２の供給装置１９０では、ロック機構１２０のソレノイド１２４が消磁状態とされるとともに、電磁モータが駆動されることで、テープフィーダ７４のテープフィーダ保持台１００へのロックが解除され、テープフィーダ７４のレール１０９の端部に突起部１９８が引っ掛けられた状態のラック１９４によって、テープフィーダ７４を取外し位置にスライドさせることが可能となっている。
【００５３】
また、変形例３の供給装置２００では、スライド機構２０２が、図１０に示すように、スライド溝１０８内に設けられたコイルスプリング２０４と、ロック機構１２０とによって構成されている。具体的には、コイルスプリング２０４は、スライド溝１０８の端部とテープフィーダ７４のレール１０９の端部との間に圧縮された状態でスライド溝１０８内に設けられており、コイルスプリング２０４の弾性力によって、テープフィーダ７４が離脱方向に向かって付勢されている。そして、テープフィーダ７４が、ロック機構１２０によってテープフィーダ保持台１００にロックされている状態では、テープフィーダ７４の側壁面１１０がテープフィーダ保持台１００の立設面部１０６に取り付けられた状態が維持されるが、ロック機構１２０のソレノイド１２４が消磁状態とされ、テープフィーダ７４のテープフィーダ保持台１００へのロックが解除されることで、コイルスプリング２０４の弾性力によって、テープフィーダ７４を取外し位置にスライドさせることが可能となっている。
【００５４】
ちなみに、上記実施例および変形例において、電子部品供給装置３２，１８０，１９０，２００は、電子部品供給装置の一例であり、電子部品供給装置３２，１８０，１９０，２００のテープフィーダ７４、テープフィーダ保持台１００，スライド機構１３０，１８２，１９２，２０２は、テープフィーダ、テープフィーダ保持台，テープフィーダ移動機構の一例である。そのテープフィーダ保持台１００のスライド部１０２，立設面部１０６は、スライド部，側壁面取付部の一例であり、テープフィーダ７４のリール保持部８８，フィーダ本体９０，側壁面１１０は、保持具，本体部，側壁面の一例である。また、制御装置１５０は、制御装置の一例であり、制御装置１５０のテープフィーダ決定部１７０は、テープフィーダ決定部の一例である。さらに、表示装置１６０，選択ボタン１６２は、表示装置，選択ボタンの一例である。
【００５５】
なお、本発明は、上記実施例および変形例に限定されるものではなく、当業者の知識に基づいて種々の変更、改良を施した種々の態様で実施することが可能である。具体的には、例えば、上記テープフィーダ決定部１７０では、次作業に必要のない電子部品が収容されたテープフィーダを、取り外すべきテープフィーダとして決定しているが、種々の手法に従って取り外すべきテープフィーダを決定してもよい。具体的には、例えば、収容されている電子部品の数が所定の数以下となったテープフィーダを、取り外すべきテープフィーダとして決定してもよい。また、メンテナンスが必要なテープフィーダ、例えば、何らかのトラブルが生じているテープフィーダを、取り外すべきテープフィーダとして決定してもよい。
【００５６】
また、上記テープフィーダ決定部１７０による決定に関わらず、オペレータの意思だけに従って、取り外すべきテープフィーダを選択し、その選択されたテープフィーダを、テープフィーダ移動機構によって取外し位置に移動させてもよい。つまり、テープフィーダ保持台１００に装着される全てのテープフィーダに対応して選択ボタンを設け、選択ボタンによって選択されたテープフィーダのテープフィーダ移動機構を作動させるように構成してもよい。
【００５７】
また、上記実施例および変形例では、コントローラ１５２のテープフィーダ決定部１７０において決定された取り外すべきテープフィーダ７４が表示装置１６０に表示されると、オペレータの意思に従って、実際に取り外すテープフィーダ７４を決定しているが、コントローラ１５２において実際に取り外すテープフィーダ７４を決定してもよい。さらに言えば、実際に取り外すテープフィーダ７４の順番をもコントローラ１５２において決定してもよい。
【００５８】
具体的には、例えば、テープフィーダ７４に収容されている電子部品の種類，テープフィーダ７４自体の種類等を考慮して、同じ種類の電子部品，テープフィーダ７４が連続するように、実際に取り外すテープフィーダ７４の順番をコントローラ１５２において決定してもよい。電子部品やテープフィーダ７４は、通常、種類毎に保管されているため、このようにテープフィーダ７４の取り外す順番を決定することで、オペレータによる保管場所での電子部品等の取出作業，収納作業を効率よく行うことが可能となる。また、テープフィーダ７４の取り外し，スプライシング，リール交換等の種々の作業のうちで優先度の高い作業、緊急度の高い作業の順番に、実際に取り外すテープフィーダ７４を決定してもよい。そして、１台のテープフィーダに対する作業が終了した後に、コントローラ１５２によって決定された順番に従って、順次、テープフィーダ７４が取外し位置に移動させられる。この際、例えば、電子部品の交換作業等が終了したテープフィーダ７４のコネクタ１１４がコネクタ接続部１１２に接続され、テープフィーダ７４，電子部品の正誤確認等の所定のチェックが終了すると、コントローラ１５２によって、そのテープフィーダ７４に対する作業の完了が認識され、次に取り外すべきテープフィーダ７４が移動されるように構成してもよい。
【００５９】
また、上記実施例および変形例では、ソレノイド，ギヤ機構，弾性体を利用したテープフィーダ移動機構が採用されているが、種々の構造のものを採用することが可能である。具体的には、例えば、ロボットアーム等を利用してテープフィーダを移動させるように構成してもよい。このロボットアームは、テープフィーダの移動専用に設けられてもよく、また、移動装置３０とＸ軸スライダ６６に取り付けられる作業ヘッドとを、ロボットアームとして機能させてもよい。具体的には、作業ヘッドの一部をテープフィーダに接触させた状態で離脱方向に移動させるように、移動装置３０の作動を制御することで、移動装置３０と作業ヘッドとによってテープフィーダを取外し位置に移動させることが可能となる。
【符号の説明】
【００６０】
３２：電子部品供給装置    ７４：テープフィーダ    ８８：リール保持部（保持具）    ９０：フィーダ本体（本体部）    １００：テープフィーダ保持台    １０２：スライド部    １０６：立設面部（側壁面取付部）    １１０：側壁面    １３０：スライド機構（テープフィーダ移動機構）    １５０：制御装置    １６０：表示装置    １６２：選択ボタン    １７０：テープフィーダ決定部    １８０；電子部品供給装置    １８２：スライド機構（テープフィーダ移動機構）    １９０；電子部品供給装置    １９２：スライド機構（テープフィーダ移動機構）    ２００；電子部品供給装置    ２０２：スライド機構（テープフィーダ移動機構）
【図１】
0005877211.tif 000002
【図２】
0005877211.tif 000003
【図３】
0005877211.tif 000004
【図４】
0005877211.tif 000005
【図５】
0005877211.tif 000006
【図６】
0005877211.tif 000007
【図７】
0005877211.tif 000008
【図８】
0005877211.tif 000009
【図９】
0005877211.tif 000010
【図１０】
0005877211.tif 000011